(57)【要約】【課題】近年、携帯端末機器等で低消費化が図られ、レギュレータ回路において、電源投入時のラッシュ電流による出力安定化容量へのダメージの軽減を図る必要があった。本発明は、上記、問題点を解決するもので時定数決定用の容量容量値を変える事により、出力安定化容量の規格に見合うラッシュ電流軽減効果を得ることが可能なレギュレータ回路を提供することを目的とする。【解決手段】電源端子と、接地端子と、基準電源と、出力電圧を制御するアンプと、アンプに制御されるＭＯＳ群と、ＭＯＳのゲート電圧をクリップするダイオード群と、ダイオード群を時定数により制御する制御回路と、出力電圧を調整するＲａ及びＲｂとを備えたレギュレータ回路。【選択図】　図１
2004062284.tif 000002
【特許請求の範囲】
【請求項１】
電源端子と、接地端子と、基準電源と、出力電圧を制御するアンプと、アンプに制御されるＭＯＳ群と、ＭＯＳのゲート電圧をクリップするダイオード群と、ダイオード群を時定数を持って制御する制御回路と、を備えたレギュレータ回路。
【請求項２】
前記時定数によりダイオード群を制御する回路は、電源投入時に起動される定電流源と、前記定電流源からの電流を充電し時定数を決定する容量と、前記定電流源からの電流により電圧上昇を決定する抵抗体と、前記定電流と抵抗体とにより決定された電圧をエミッタ・フォロアにて出力するトランジスタと、前記トランジスタにより出力された電圧を電流変換する抵抗体と、前記電流変換された電流を折り返すカレント・ミラー回路と、を具備することを特徴とする請求項１に記載のレギュレータ回路。
【発明の詳細な説明】
【０００１】
【発明の属する技術分野】
本発明は、携帯情報端末等に幅広く使用されている定電圧出力回路に関するものである。
【０００２】
【従来の技術】
従来の出力電圧調整回路を図４に示す。
【０００３】
図４において１は電源端子、２は接地端子、３は基準電源、４は出力電圧を制御するアンプ、Ｍ１は出力ドライバＭＯＳ、Ｍ２は前記Ｍ１のプリドライバＭＯＳ、５及び６は前記プリドライバＭＯＳ用定電流源、Ｒａ及びＲｂは前記基準電源の電圧値を抵抗比により出力電圧を決定する抵抗体、Ｖｏｕｔは定電圧調整回路の出力端子、Ｃａは出力安定化用容量である。
【０００４】
以下、動作について説明する。
【０００５】
電源投入時、出力安定化容量Ｃａは未充電であり、アンプ４の正入力端子には０Ｖが入力され、アンプ４の出力は０Ｖとなり、出力ＭＯＳドライバＭ１をスイッチとして機能させる。その為、電源からスイッチとして機能しているＭＯＳドライバＭ１を介し、出力安定化容量に対し、ラッシュ電流が流れてしまう。
【０００６】
【発明が解決しようとする課題】
従来の携帯端末機器等に使用するレギュレータ回路において、電源投入時には出力安定化容量が未充電である為、出力安定化容量に対し、大きなラッシュ電流が流れダメージを与えていた。
【０００７】
本発明は上記、従来の課題を解決するものであり、レギュレータ回路における電源投入時のラッシュ電流の軽減を図ることを目的とする。
【０００８】
【課題を解決するための手段】
この目的を達成するために本発明のレギュレータ回路においては、電源端子１と、接地端子２と、基準電源３と、出力電圧を制御するアンプ４と、出力ＭＯＳドライバＭ１と、プリドライバＭ２と、前記プリドライバＭ２用定電流源５及び６と、出力ＭＯＳドライバＭ１及びプリドライバＭ２のゲート電圧をクリップするトランジスタＱ１及びＱ２と、プルアップ抵抗Ｒｃと、ダイオード・クリップ制御回路７と、前記ダイオード・クリップ制御回路の時定数を決定する容量Ｃｂと、出力電圧を決定する固定抵抗Ｒａ及びＲｂとを備えたものである。
【０００９】
この構成により電源投入時のラッシュ電流を軽減し、出力安定化容量へのダメージを軽減し得ることを可能とする。
【００１０】
【発明の実施の形態】
本発明の請求項１に記載の発明は、電源端子と、接地端子と、基準電源と、出力電圧を制御するアンプと、アンプに制御されるＭＯＳ群と、ＭＯＳのゲート電圧をクリップするダイオード群と、ダイオード群を時定数により制御する制御回路と、出力電圧を調整するＲａ及びＲｂとを備えた事により、電源投入時に出力ＭＯＳドライバをスイッチとして機能させることなく、時定数決定用容量値に応じて任意の時定数間だけ出力ＭＯＳドライバ及びプリドライバのゲート電圧をダイオードクリップし、所望のラッシュ電流軽減効果を得る作用を有する。
【００１１】
本発明の請求項２に記載の発明は、電源投入時に起動される定電流源と、前記定電流源からの電流を充電し時定数を決定する容量と、前記定電流源からの電流により電圧上昇を決定する抵抗体と、前記定電流と抵抗体とにより決定された電圧をエミッタ・フォロアにて出力するトランジスタと、前記トランジスタにより出力された電圧を電流変換する抵抗体と、前記電流変換された電流を折り返すカレント・ミラー回路とを備えた事により、電源投入時に時定数決定用容量値に応じて、ダイオードクリップする時間を制御することが可能となる。
【００１２】
以下本発明の実施の形態について、図面を参照しながら説明する。
【００１３】
図１は本発明の実施の形態におけるレギュレータの回路図を示すものである。図１において１は電源端子、２は接地端子、３は基準電源、４は出力電圧を制御するアンプ、Ｍ１は出力ドライバＭＯＳ、Ｍ２は前記Ｍ１のプリドライバＭＯＳ、５及び６は前記プリドライバＭＯＳ用定電流源、７はダイオード・クリップ制御回路、Ｃｂは制御回路時定数決定用容量、Ｒａ及びＲｂは前記基準電源の電圧値を抵抗比により出力電圧を決定する抵抗体、Ｒｃはダイオード・クリップ電圧決定用抵抗体、Ｖｏｕｔは定電圧調整回路の出力端子、Ｃａは出力安定化用容量である。
【００１４】
以下、動作について説明する。
【００１５】
電源投入時、出力安定化容量は未充電である為、制御アンプの正入力端子には０Ｖが入力され、本来アンプの出力は低電位出力となるが、制御回路が機能するまではトランジスタＱ２のベースが抵抗にてプルアップされており、プリドライバＭ２のゲートをダイオードクリップする。プリドライバＭ２のゲート電圧がダイオードクリップされた事により、ソース・フォロア出力された出力ドライバＭ１のゲート電圧もクリップされ、ＭＯＳスイッチとして動作することを避けることが可能となる。以上の動作により、電源投入時に出力ＭＯＳトランジスタがスイッチとして機能する事が避けられ、出力安定化容量へのラッシュ電流を軽減する機能を得ることができる。
【００１６】
図２は、本発明の実施の形態におけるダイオードクリップ制御回路の構成を示すものである。
【００１７】
図２において、電源投入時にＳＷａがオンし、定電流源８が起動する。回路起動後、容量Ｃｂと抵抗体Ｒｅとにより時定数を持ってトランジスタＱ３のベース電圧が上昇する。トランジスタＱ３が能動領域となったところでトランジスタＱ３のエミッタ電圧と抵抗体Ｒｄとで決定された電流がカレント・ミラー回路１及びカレント・ミラー回路２によって折り返される。前記、折り返された電流がダイオードクリップ制御電流として働く。
【００１８】
【発明の効果】
以上のように本発明によれば、時定数決定用容量Ｃｂを任意に設定する事で、電源起動時の出力ドライバＭＯＳを制御し、所望のラッシュ電流軽減効果を得ることが可能なレギュレータ回路を実現できるものである。
【図面の簡単な説明】
【図１】本発明の実施の形態におけるレギュレータ回路の回路図
【図２】本発明の実施の形態におけるダイオードクリップ制御回路の構成図
【図３】本発明の実施の形態における動作説明図
【図４】従来のレギュレータの回路図
【符号の説明】
１　電源端子
２　接地端子
３　基準電源
４　アンプ
５　定電流源
６　定電流源
７　ダイオード・クリップ制御回路
８　定電流源
Ｍ１　出力ドライバＭＯＳ
Ｍ２　出力プリドライバＭＯＳ
Ｑ１　ダイオードクリップトランジスタ
Ｑ２　ダイオードクリップトランジスタ
Ｑ３　エミッタフォロアトランジスタ
Ｃａ　出力安定化用容量
Ｃｂ　時定数決定用容量
Ｒａ　固定抵抗
Ｒｂ　固定抵抗
Ｒｃ　ダイオードクリップ電圧決定用抵抗
Ｒｄ　ダイオードクリップ制御電流決定用抵抗
Ｒｅ　エミッタフォロア駆動電圧決定用抵抗
ＳＷａ　電源投入時スイッチ
カレント・ミラー回路１　カレント・ミラー回路
カレント・ミラー回路２　カレント・ミラー回路
Ｖｒｅｆ　基準電源出力電圧
Ｖｏｕｔ　出力端子
【図１】
2004062284.tif 000003
【図２】
2004062284.tif 000004
【図３】
2004062284.tif 000005
【図４】
2004062284.tif 000006